(57)【要約】【課題】片手でロールペーパーを破断するロールペーパーホルダーである。【解決手段】裏板１３と側板１１．１２で構成の収納箱の所定位置で回転するロールペーパー１を備え、側板に誘導溝１５を形成し、前記誘導溝１５に装着の主押え体１６を、使用によって小さくなるロールペーパーの口径に対応して、該ロールペーパーの垂直頂部から左側の範囲で接触可能に形成し、ペーパーの先端部を前記主押え体１６で折り返して排出側に導く。【選択図】図１
2014217734.tif 000002
【特許請求の範囲】
【請求項１】
裏板と側板で構成の収納箱に回転可能にロールペーパーを収納し、
使用によって小さくなるロールペーパーの口径に対応して、側板に形成の誘導溝に装着の主押え体はロールペーパーの垂直頂部から裏板側の範囲で接触可能に形成され、
ペーパーの先端部を前記主押え体に折り返して排出側に導いて、ペーパーを排出する引っ張り角度とミシン目で破断する引っ張り角度を異にすることを特徴とするロールペーパーホルダー。
【請求項２】
裏板と側板で構成の収納箱で回転可能にロールペーパーを収納し、
使用によって小さくなるロールペーパーの口径に対応して、側板に形成の誘導溝に装着の主押え体を介して副押え体はロールペーパーの垂直頂部から取出し側の範囲で接触可能に形成され、
ペーパーの先端部を前記副押え体と主押え体の間に相通して、主押え体で折り返して排出側に導き、ペーパーを排出する引っ張り角度とミシン目で破断する引っ張り角度を異にすることを特徴とするロールペーパーホルダー。
【請求項３】
請求項１又は請求項２のロールペーパーホルダーであって、
ロールペーパーの紙管を挿通の軸体の端部に規制体を設けることを特徴とするロールペーパーホルダー。
【請求項４】
請求項１から請求項３のいずれか１項のロールペーパーホルダーであって、
側板下方に切断刃を設けることを特徴とするロールペーパーホルダー。
【請求項５】
裏板と側板で形成の収納箱に回転可能にロールペーパーを収納して、使用によって小さくなるロールペーパーの口径に対応して、側板に形成の誘導溝に装着の主押え体はロールペーパーの垂直頂部から裏板側の範囲で接触可能であり、ペーパーのミシン目で破断するペーパーの破断方法であって、
ロールペーパーの先端部を引っ張り出して、前記主押え体で折り返して排出側に導き、
ペーパーを指で掴んで、破断したいミシン目が主押え体と指の間に来るまでペーパーを引っ張り出し、その後、ペーパーを引っ張る角度を異にして引っ張ることによって、前記主押え体によってロールペーパーの回転が阻止されて、ミシン目で破断するペーパーの破断方法。
【請求項６】
裏板と側板で形成の収納箱に回転可能にロールペーパーを収納して、使用によって小さくなるロールペーパーの口径に対応して、側板に形成の誘導溝に装着の副主押え体はロールペーパーの垂直頂部から排出側の範囲で接触可能であり、ペーパーのミシン目で破断するペーパーの破断方法であって、
ロールペーパーの先端部を引っ張り出して、副押え体を介して主押え体で折り返して排出側に導き、
ペーパーを指で掴んで、破断したいミシン目が主押え体と指の間に来るまでペーパーを引っ張り出し、その後、ペーパーを引っ張る角度を異にして引っ張ることによって、前記主押え体と副押え体によってロールペーパーの回転が阻止されて、ミシン目で破断するペーパーの破断方法。
【発明の詳細な説明】
【技術分野】
【０００１】
本発明は、片手でロールペーパーを破断するロールペーパーホルダー及びこのホルダーを使用してペーパーを破断する方法に関する。
【背景技術】
【０００２】
従来、特許文献１には、自由回転するロールペーパーが取り付けてあるホルダーにおいて、そのロール紙の上を覆うカバーが設けてある。そして、ペーパーは、カバーの後端部からカバーの上を介してカバーの先端部に至り、ロールペーパーをほぼ垂直方向に引っ張ると、蓋がロールペーパーを押さえて、ロールペーパーの回転を阻止して、カバーの先端部と指で狭着のペーパーの間に形成されているミシン目で破断するホルダーが開示してある。
【０００３】
【特許文献１】特開２００６−１４１９７４号公報
【発明の概要】
【発明が解決しようとする課題】
【０００４】
前記の従来の特許文献１に開示のホルダーは、ロール紙をミシン目で破断するに当たって、片手で操作が可能であるが、ペーパーをカバーの後端部からカバーの上を介してカバーの先端部に至るようにペーパーをセットしなければならい。
【０００５】
そこで、本願発明は、簡便な構造のロールペーパーホルダーによって、片手で、ペーパーを引っ張ることによって、ミシン目が形成されているロールペーパーに対しては、切断刃を備えることなく、ミシン目で破断できるホルダーを提供すると共に、そのホルダーを使用してミシン目から破断する破断方法を提供する。
また、切断刃を備えることによって、ミシン目がないロール状のペーパーや樹脂フィルム等に適用できるロールペーパーホルダーを提供する。
【課題を解決するための手段】
【０００６】
請求項１のロールペーパーホルダーは、裏板と側板で構成の収納箱に回転可能にロールペーパーを収納し、使用によって小さくなるロールペーパーの口径に対応して、側板に形成の誘導溝に装着の主押え体はロールペーパーの垂直頂部から裏板側の範囲で接触可能に形成されている。そして、ペーパーの先端部を前記主押え体に折り返して排出側に導いて、ペーパーを排出する引っ張り角度とミシン目で破断する引っ張り角度を異にする。
【０００７】
又、請求項２のロールペーパーホルダーは、裏板と側板で構成の収納箱で回転可能にロールペーパーを収納し、使用によって小さくなるロールペーパーの口径に対応して、側板に形成の誘導溝に装着の主押え体を介して副押え体はロールペーパーの垂直頂部から取出し側の範囲で接触可能に形成されている。そして、ペーパーの先端部を前記副押え体と主押え体の間に相通して、主押え体で折り返して排出側に導き、ペーパーを排出する引っ張り角度とミシン目で破断する引っ張り角度を異にする。
【０００８】
又、請求項３のロールペーパーホルダーは、ロールペーパーの紙管を挿通の軸体の端部に規制体を設けることによって、ロールペーパーの側面が側板に接触するのを防止してロールペーパーの摩擦抵抗の軽減を図る。
また、請求項４のロールペーパーホルダーは、側板下方に切断刃を設けることによって、ミシン目が無いロールペーパーに対応することができる。
【０００９】
請求項５の発明はミシン目で破断するペーパーの破断方法である。裏板と側板で形成の収納箱に回転可能にロールペーパーを収納して、使用によって小さくなるロールペーパーの口径に対応して、側板に形成の誘導溝に装着の主押え体はロールペーパーの垂直頂部から裏板側の範囲で接触可能である。そして、ロールペーパーの先端部を引っ張り出して、前記主押え体で折り返して排出側に導かれたペーパーを指で掴んで、破断したいミシン目が主押え体と指の間に来るまでペーパーを引っ張り出し、その後、ペーパーを引っ張る角度を異にして引っ張ることによって、前記主押え体によってロールペーパーの回転が阻止されて、ミシン目で破断される。
【００１０】
また、請求項６の発明はミシン目で破断するペーパーの破断方法である。裏板と側板で形成の収納箱に回転可能にロールペーパーを収納して、使用によって小さくなるロールペーパーの口径に対応して、側板に形成の誘導溝に装着の副主押え体はロールペーパーの垂直頂部から排出側の範囲で接触可能である。
そして、ロールペーパーの先端部を引っ張り出して、副押え体を介して主押え体で折り返して排出側に導かれたペーパーを指で掴んで、破断したいミシン目が主押え体と指の間に来るまでペーパーを引っ張り出し、その後、ペーパーを引っ張る角度を異にして引っ張ることによって、前記主押え体と副押え体によってロールペーパーの回転が阻止されて、ミシン目で破断される。
【発明の効果】
【００１１】
本願発明は、片手でペーパーを引っ張ることによって、ミシン目があるロールペーパーに対してはミシン目で破断することができるし、ミシン目が無いロールペーパーに対しては、切断刃を備えることによって、その切断刃で破断することができる。
【図面の簡単な説明】
【００１２】
【図１】第１の実施の形態における（Ａ）はローペーパーホルダーの本体斜視図、（B）は本体に使用する部品、（Ｃ）はロールペーパーを収納箱に装着した図であり、（Ｄ）は断面図である。
【図２】第２の実施の形態における（Ａ）はローペーパーホルダーの本体斜視図、（B）は本体に使用する部品、（Ｃ）はロールペーパーを収納箱に装着した図であり、（Ｄ）は断面図である。
【図３】第３の実施の形態における（Ａ）はローペーパーホルダーの本体斜視図、（B）は本体に使用する部品、（Ｃ）はロールペーパーを収納箱に装着した図であり、（Ｄ）は断面図である。
【図４】第４の実施の形態における（Ａ）はローペーパーホルダーの本体斜視図、（B）は本体に使用する部品、（Ｃ）はロールペーパーを収納箱に装着した図であり、（Ｄ）は断面図である。
【図５】第５の実施の形態であり、（Ａ）はローペーパーホルダーの本体斜視図、（B）は本体に使用する部品、（Ｃ）はロールペーパーを収納箱に装着した図であり、（Ｄ）は断面図である。
【図６】第６の実施の形態における変更例であり、（Ａ）はローペーパーホルダーの本体斜視図、（B）は本体に使用する部品、（Ｃ）はロールペーパーを収納箱に装着した図であり、（Ｄ）は断面図である。
【図７】第７の実施の形態における変更例であり、（Ａ）はローペーパーホルダーの本体斜視図、（B）は本体に使用する部品、（Ｃ）はロールペーパーを収納箱に装着した図であり、（Ｄ）は断面図である。
【発明を実施するための形態】
【００１３】
以下、本発明の実施の形態を図面に基づいて説明する。
（第１の実施の形態）
第１の実施の形態について、図１を参照して説明する。図１（Ａ）はローペーパーホルダーの本体斜視図であり、（B）は本体に使用する部品である。また、図１（Ｃ）はロールペーパーを収納箱に収納した図であり、図１（Ｄ）は断面図である。  
このロールペーパー本体は合成樹脂等で製作できるが、ここでは木材で製作し、長方形状の裏板１３と、その裏板１３の両端に長方形状の右側板１２と左側板１１を固定してロールペーパーの収納箱を構成する。また、前記右側板１２と左側板１１の先端部（ペーパーの排出側）の下方には、ミシン目がないロールペーパーに対応できるように切断刃１８を備えている。
【００１４】
主押え体１６は断面円形の丸棒であり、その両端１６ａは本体径より口径が小さく形成してある。
また、ロールペーパーの紙管に挿入する軸体１７は断面円形の丸棒であり、その両端１７ａは本体径より口径が小さく形成してある。
【００１５】
前記右側板１２と左側板１１には、前記主押え体１６と軸体１７の両端に形成の両軸端１６ａ，１７ａを装着する断面Ｕ字状の誘導溝１５が、主押え体１６と軸体１７の両端１６ａ，１７ａが挿入可能な幅で、且つ、主押え体１６と軸体１７の本体径より小さな幅で上縁から下方に形成してある。
従って、主押え体１６と軸体１７の両端１６ａ，１７ａを誘導溝１５に装着して降下させたとき、傾斜状になっても、主押え体１６と軸体１７は誘導溝１５から離脱しない。尚、前記主押え体１６と軸体１７の両端１６ａ，１７ａは、誘導溝１５の深さ等によっては、必ずしも必要ではない。
また、前記誘導溝１５は、使用によって小さくなるロールペーパーの口径に対応して、前記主押え体１６がロールペーパーの垂直頂部から左側の上部の範囲（垂直線から-９０度の範囲）で接触可能であればよく、ここでは、主押え体１６がロールペーパー１の垂直中心より裏板１３側、約１０°の位置で、順次使用してロールペーパーの口径が小さくなっても、ほぼ、同じ角度の位置で接触可能に形成してある。
なお、この誘導溝１５の最下端１５ａは、図１（Ｄ）に示すように、ロールペーパー１の紙管に挿入の軸体１７を装着して、ロールペーパー１が回転する位置である。即ち、ロールペーパー１の中心は収納箱の所定位置で回転可能にセットされる。
尚、誘導溝１５に装着の前記主押え体１６は昇降可能であり、ペーパーの排出が円滑であれば、必ずしも回転可能に誘導溝１５に装着する必要はない。
【００１６】
次に、このロールペーパーホルダーの使用について説明すると、先ず、ロールペーパー１の紙管に軸体１７を挿入し、ロールペーパー１の先端部が、下から上方向に引っ張られて、図１（Ｄ）に示す反時計方向に回転可能に、この軸体１７を誘導溝１５の上端から最下端に導いて、ロールペーパー１を所定位置で回転可能にセットする。
そして、前記ロールペーパーの先端部を裏板１１に載置するまで引っ張り出し、そのペーパーの上から、主押え体１６を誘導溝１５に装着し、その後、そのペーパーの先端部を排出側に引っ張り出して、準備が完了する（図１（Ｃ）（Ｄ））。
即ち、ペーパーの先端部は前記主押え体１６の上で折り返えされた状態で排出側に導かれる。
【００１７】
次に、ロールペーパーを破断する操作について説明すると、先ず、図１（Ｄ）に示すように、ロールペーパーの先端部を指で掴んで、ほぼ水平方向に引っ張る（Ｆ１）と、ロールペーパー１は軸体１７で支持されて回転し、主押え体１６を介して抵抗が少ない状態で取り出すことができ、破断したいミシン目２が、指と主押え体１６の間に位置するまで引っ張り出す。
そして、指に持ったペーパーを斜め下方向（Ｆ２）に、即ち、前記ペーパーを排出するときと異なる角度で引っ張ると、主押え体１６は排出側の誘導溝１５の側部で規制されながら下方向に力を受けて、ロールペーパー１を押さえ込むことによって、ロールペーパー１の回転は阻止され、ペーパー１は引っ張り状態になり、弱い、ミシン目２で破断される。このミシン目での破断によって、ペーパーの先端部は主押え体１６から排出側に残っているので、次回の操作は前記と同じ操作ができるし、順次、使用によって小さくなるロールペーパーの口径に対応して、主押え体１６は誘導溝１５を下降する。
尚、ロールペーパーにミシン目が形成されていない場合には、切断刃１８にペーパーを当てて、斜め下方向（Ｆ２）に引っ張ると、ペーパーは切断刃１８で破断される。
尚、前記は下方向に引っ張ることによって、ロールペーパー１の回転を阻止する構成であるが、上方向に引っ張ることによって、ロールペーパー１の回転を阻止する構成については、後述の第６の実施の形態で説明する。
【００１８】
（第２の実施の形態）
第２の実施の形態は、前記第１の実施の形態とは、ロールペーパー１の紙管に挿入する軸体１７がない収納箱である点を異にするので、同じ作用する部品には同じ符号を付して説明を略す。
本実施の形態の収納箱には、軸体１７がないので、ロールペーパー１が飛び出さないように、底板１４が排出側に向けて上昇する角度で取り付けてあるため、ロールペーパー１は、底板１４に載置されると共に、裏板１３にも接触する。
そこで、前記主押え体１６を誘導する前記右側板１２と左側板１１に形成の断面Ｕ字状の誘導溝３５は、主押え体１６の両端１６ａが挿入可能な幅で、且つ、主押え体１６の本体より小さな幅で形成し、使用によって小さくなるロールペーパーの口径に対応して、前記主押え体１６がロールペーパーの垂直頂部から左側の上部の範囲（垂直線から-９０度の範囲）で接触可能であればよく、ここでは、前記第１の実施の形態と同様に、ロールペーパー１の垂直中心より裏板１３側、約１０°の位置で、順次使用してロールペーパーの口径が小さくなっても、ほぼ同じ角度の位置で接触可能に、裏板１３側に向かって下傾斜状に形成してある。
尚、前記底板１４は、回転するロールペーパー１が接触するので、摩擦を軽減するためには抵抗が小さい樹脂板等で構成するのが好ましい。
【００１９】
この収納箱を使用して、ロールペーパーを破断する操作は、前記第１の実施の形態とほぼ同様であり、下から上方向に引っ張って、図２（Ｄ）に示す反時計方向に回転可能に、ロールペーパー１を収納箱に入れる。次に、前記ロールペーパーの先端部を裏板１１に載置するまで引っ張り出し、そのペーパーの上から、主押え体１６を誘導溝３５に装着して、その後、そのペーパーの先端部を排出側に引っ張り出すと、ペーパーは主押え体１６の上で折り返された状態になり、準備が完了する（図２（Ｃ）（Ｄ））。
【００２０】
そして、図２（Ｄ）に示すように、先ず、ロールペーパーの先端部を指で掴んで、ほぼ水平方向に引っ張って（Ｆ１）、破断したいミシン目２が、指と主押え体１６の間に位置するまで引っ張り出す。
そして、指に持ったペーパーを斜め下方向（Ｆ２）に引っ張ると、主押え体１６は排出側の誘導溝３５の側部で規制されながら下方向に力を受けて、ロールペーパー１を押さえ込むことによって、ロールペーパー１の回転は阻止され、ペーパーは引っ張り状態になり、弱い、ミシン目２で破断される。
尚、ロールペーパーにミシン目が形成されていない場合には、切断刃１８にペーパーを当てて、斜め下方向（Ｆ２）に引っ張ると、ペーパーは切断刃１８で破断される。
また、前記は下方向に引っ張ることによって、ロールペーパー１の回転を阻止する構成であるが、主押え体１６がロールペーパー１の垂直頂部から左側の下部の範囲（垂直線から-９０度の範囲）で接触可能に誘導溝３５（図示略）を形成し、ロールペーパー１の回転を時計方向にすることによって、上方向に引っ張ることによって、ロールペーパー１の回転を阻止して、ミシン目で破断できる。
【００２１】
（第３の実施の形態）
この第３の実施の形態について、図３を参照して説明するが、前記第１の実施の形態と同じ作用をなす部品には同じ符号を付して説明を略す。図３（Ａ）はローペーパーホルダーの本体斜視図であり、（B）は本体に使用する部品である。また、図３（Ｃ）はロールペーパー１を収納箱に装着した図であり、図３（Ｄ）は断面図である。
【００２２】
この収納箱は前記第１の実施の形態と同じであり、新たに副押え体２６を加えている点と、右側板１２と左側板１１に形成の断面Ｕ字状の誘導溝２５を異にしている。
即ち、この実施の形態は、副押え体２６がロールペーパーの垂直頂部から排出側（前側）で接触する構造であり、前記誘導溝２５は、主押え体１６と副押え体２６及び軸体１７の両端１６ａ，２６ａ，１７ａが挿入可能な幅で、且つ、主押え体１６と副押え体２６及び軸体１７の本体径より小さな幅で形成してある。従って、主押え体１６と副押え体２６及び軸体１７の両端１６ａ，２６ａ、１７ａを誘導溝１５に装着して降下させたとき、傾斜状になっても、これらは誘導溝２５から離脱しないが、これらの両端１６ａ，２６ａ、１７ａは必ずしも必要ではない。
また、前記誘導溝２５は、副押え体２６が使用によって小さくなるロールペーパーの口径に対応して、該ロールペーパーの垂直頂部から排出側の上部の範囲（垂直線から+９０度の範囲）で接触可能であればよく、ここでは、ロールペーパーの口径が小さくなっても、副押え体２６がロールペーパー１の排出側の上部、約４５°の角度の位置で接触可能に形成してあり、この誘導溝２５の下端部２５ａはロールペーパーの軸体１７を装着する。
尚、誘導溝２５の上部２５ｂが垂直に形成してあるのは、ペーパーの先端部を指に持って排出側に引っ張ったとき、主押え体１６が誘導溝２５を上昇して、誘導溝２５から離脱するのを防止するためである。
また、前記副押え体２６は主押え体１６と同じであるが、後記で記載する作用を考慮して異なる口径、形状であってもよい。また、誘導溝２５に装着の前記主押え体１６と副押え体２６は誘導溝２５で昇降可能に装着してあるが、ペーパーの排出が円滑であれば、必ずしも回転可能に装着する必要はない。
【００２３】
次に、この収納箱を使用して、ロールペーパーを破断する操作については、先ず、ロールペーパー１の紙管に軸体１７を挿入し、ロールペーパー１の先端部が、下から上方向に引っ張って、図３（Ｄ）に示す反時計方向に回転可能に、この軸体１７を誘導溝２５の上端から最下端に導く。
次に、副押え体２６を誘導溝２５に装着し、前記ロールペーパーの先端部を裏板１１に載置するまで引っ張り出し、そのペーパーの上から、主押え体１６を誘導溝２５に装着し、その後、そのペーパーの先端部を排出側に引っ張り出して、準備が完了する（図３（Ｃ）（Ｄ））。即ち、ペーパーは主押え体１６と副押え体２６の間を相通し、主押え体１６の上で折り返された状態にする。
【００２４】
そして、図３（Ｄ）に示すように、先ず、ロールペーパーの先端部を指で掴んで、ほぼ水平方向に引っ張っても（Ｆ１）、副押え体２６と主押え体１６によってロールペーパーを押さえ込む力は小さく、円滑に取り出すことができ、破断したいミシン目２が、指と主押え体１６の間に位置するまで引っ張り出す。
次に、指に持ったペーパーを斜め下方向（Ｆ２）に引っ張ると、主押え体１６は排出側の誘導溝２５の側部で規制されながら下方向に力を受けると共に、副押え体２６も排出側の誘導溝２５の側部で規制されながら下方向に押さえ込まれ、この副押え体２６を介してロールペーパー１が押さえ込まれて、ロールペーパー１の回転は阻止され、ペーパー１は引っ張り状態になり、弱い、ミシン目２で破断される。
尚、ロールペーパーにミシン目が形成されていない場合には、切断刃１８にペーパーを当てて、斜め下方向（Ｆ２）に引っ張ると、ペーパーは切断刃１８で破断される。
尚、前記は下方向に引っ張ることによって、ロールペーパー１の回転を阻止する構成であるが、主押え体１６と副押え体２６がロールペーパー１の垂直頂部から右側の下部の範囲（垂直線から+９０度の範囲）で接触可能に誘導溝２５（図示略）を形成し、ロールペーパー１の回転を時計方向にすることによって、上方向に引っ張ることによって、ロールペーパー１の回転を阻止して、ミシン目で破断できる。
【００２５】
（第４の実施の形態）
第４の実施の形態は、前記第３の実施の形態とは、ロールペーパー１の紙管に挿入する軸体１７がない収納箱である点を異にするので、同じ作用する部品には同じ符号を付して説明を略す。
本実施の形態の収納箱には、ロールペーパー１が飛び出さないように、底板１４が排出側に向けて上昇する角度で取り付けてあるため、ロールペーパー１は、底板１４に載置されると共に、裏板１３にも接触する。
また、前記副押え体２６と主押え体１６を誘導する前記右側板１２と左側板１１に形成の断面Ｕ字状の誘導溝４５は、前記第３の実施の形態と同様に、主押え体１６と副押え体２６の両端１６ａ，２６ａが挿入可能な幅で、且つ、主押え体１６と副押え体２６の本体径より小さな幅で形成してある。
また、前記誘導溝４５は、副押え体２６が使用によって小さくなるロールペーパーの口径に対応して、該ロールペーパーの垂直頂部から排出側の上部の範囲（垂直線から+９０度の範囲）で接触可能に形成すればよく、ここでは、ロールペーパー１の垂直中心より右側上部、約４５°の位置で、順次、ロールペーパーの口径が小さくなってもほぼ同じ角度の位置で接触するように形成してある。
【００２６】
この収納箱を使用して、ロールペーパーを破断する操作は、前記第３の実施の形態とほぼ同様であり、先ず、ロールペーパー１を反時計方向に回転可能に、収納箱に入れる。次に、副押え体２６を誘導溝４５に装着し、前記ロールペーパーの先端部を裏板１１に載置するまで引っ張り出し、そのペーパーの上から、主押え体１６を誘導溝４５に装着して、その後、そのペーパーの先端部を排出側に引っ張り出して、準備が完了する（図４（Ｃ）（Ｄ））。
【００２７】
そして、図４（Ｄ）に示すように、先ず、ロールペーパーの先端部を指で掴んで、前記第３の実施の形態と同様に、ほぼ水平方向に引っ張って（Ｆ１）、破断したいミシン目２が、指と主押え体１６の間に位置するまで引っ張り出す。
そして、指に持ったペーパーを斜め下方向（Ｆ２）に引っ張ると、前記第３の実施の形態と同様に、主押え体１６は排出側の誘導溝４５の側部で規制されながら下方向に力を受けると共に、副押え体２６も排出側の誘導溝４５の側部で規制されながら下方向に押さえ込まれ、この副押え体２６を介してロールペーパー１が押さえ込まれて、ロールペーパー１の回転は阻止され、ペーパー１は引っ張り状態になり、弱い、ミシン目２で破断される。
尚、ロールペーパーにミシン目が形成されていない場合には、切断刃１８にペーパーを当てて、斜め下方向（Ｆ２）に引っ張ると、ペーパーは切断刃１８で破断される。
尚、前記は下方向に引っ張ることによって、ロールペーパー１の回転を阻止する構成であるが、主押え体１６と副押え体２６がロールペーパー１の垂直頂部から右側の下部の範囲（垂直線から+９０度の範囲）で接触可能に誘導溝４５（図示略）を形成し、ロールペーパー１の回転を時計方向にすることによって、上方向に引っ張ることによって、ロールペーパー１の回転を阻止して、ミシン目で破断できる。
【００２８】
（第５の実施の形態）
前記第１の実施の形態を示す図１に示す軸体１７は、主押え体１６の誘導溝１５と兼用であるが、この第５の実施の形態では、図５に示すように、新たに、挿入溝３０を形成するものである。なお、挿入溝３０は右側板１２と左側板１１に形成してあり、軸体１７は両端１７ａがない丸棒であるが、軸体１７は前記挿入溝３０を介して最下端１５ａに装着した位置を維持するので、挿入溝３０からの脱落は生じない。
尚、軸体１７の両端には、必ずしも必要でないが、規制体８８ａと角度を異にする規制体８８ｂが設けてあるが同じ角度で設けてもよい。この規制体８８ａ、８８ｂは軸棒であり、長さがＬ１、Ｌ２で、ロールペーパーの紙管に当接して、ロールペーパーの左右動を規制することによって、ロールペーパーの側面が左側板１１又は右側板１２に当接して、回転摩擦が生じないようになっている。又、前記規制体８８ａの長さＬ１、規制体８８ａの長さＬ２の少なくともいずれか一方は、紙管の内径より短く形成して、紙管を軸体１７に挿通可能であるが、この規制体は、いずれか一方だけでもよい。又、規制体の軸棒の本数は、複数でもよい。
又、前記第１，３実施の形態において、ロールペーパー１の紙管に挿入の軸体１７は、誘導溝１５，２５或いは、装着溝３０を介して装着して所定位置で回転可能にセットする構成であるが、ロールペーパー１を所定位置で回転可能に装着すればよいので、前記軸体１７を用いないで、両側板に水平、垂直に回動する爪や両側板を相通する軸等を設けて回転支持可能に構成してもよい。この第５の実施の形態は、前記第１、３の実施の形態と同じ操作でペーパーを破断する。
【００２９】
（第６の実施の形態）
本実施の形態は図６に示すように、前記第１の実施の形態とは、誘導溝１５を上下対称に形成するものである。この誘導溝１５によって、主押え体１６は、ロールペーパー１の垂直頂部から左側の下部の範囲（垂直線から-９０度の範囲）で接触可能になり、前記第１の実施の形態と同じ操作である。即ち、ロールペーパー１の回転が時計方向にセットし、ペーパーを主押え体１６の上側から下側へ折り返して、排出側に導き、ペーパーを引き出すときにはほぼ水平に引っ張り、ミシン目で破断する時には、前記と異なる角度で、上方に引っ張ると、主押え体１６が誘導溝１５を上昇して、ロールペーパー１を抑えて回転を阻止して、ミシン目で破断する。
このように、本願発明では、ロールペーパー１と主押え体１６が接触する位置によって、又、ロールペーパー１と主押え体１６及び副押え体２６が接触する位置によって、ミシン目で破断する際、下方又は上方のいずれかに引っ張るかを選択することができる。
【００３０】
（第７の実施の形態）
本実施の形態は図７に示すように、第６の実施の形態とは、誘導溝１５を軸体１７が誘導可能に形成してある点を異にするのみであるので、同じ符号を附して説明を略す。即ち、この実施の形態では、ロールペーパー１の口径が小さくなると、ロールペーパー１が誘導溝１５で降下誘導され、主押え体１６とロールペーパー１は接触している。そのため、前記第６の実施の形態における主押え体１６がロールペーパー１に接触するにあたって、主押え体１６が誘導溝１５を上昇させた後に接触するという難点を解消することができる。
このように、ミシン目で破断する際、ロールペーパー１と主押え体１６が接触して回転を阻止するに当たって、主押え体１６とロールペーパー１の少なくともいずれか一方を移動可能に構成すればよいので、前記各実施の形態においても同様に構成することができる。
【００３１】
本願発明の収納箱、主押え体、副押え体等で構成のロールペーパーホルダー１は、木材の他、合成樹脂等、種々の材質で、更には複数の材質を組み合わせて製作できる。
また、主押え体１６と軸体１７及び副押え体２６の口径は、ペーパーを引っ張ったとき円滑に引っ張ることができる適宜の口径を選択できるし、断面形状についても、同様に、円形の他、楕円形等でもよい。
又、ロールペーパーの回転する機構は、軸体１７に装着したロールペーパーと軸体１７が共に回転する他、軸体１７は回転しないがロールペーパーだけが回転する構成であってもよいし、両側面に爪を備えて支持可能に構成してロールペーパーだけが回転可能にする構成でもよいし、或いは、ロールペーパーを直接、底板上に載置して回転可能に構成することもでき、いずれを選択するかは、目的で選択する。
【００３２】
又、ロールペーパーの側面が側板と接触して回転が円滑でないときには、図５に示すように、軸体１７の両端部に、ロールペーパー１の左右動を規制する規制体８８ａ、８８ｂを設けてもよいし、この規制体８８ａ、８８ｂに替えて、規制体８８ａと規制体８８ｂの間の軸体１７の口径を小さくして溝を形成して、左右動を規制しても良い。即ち、軸体１７の両端が、前記溝の口径より大きな口径となり、この両端が規制体８８ａ、８８ｂとなる。
又、ロールペーパーを直接、底板上に載置するときには、底板に摩擦を減少する樹脂シート等を貼着したり、円滑剤を塗布して摩擦を低減することが好ましい。
【００３３】
又、前記実施の形態において、軸体１７を水平状態でロールペーパーを取り付ける構成であるが、軸体１７を垂直状態にするホルダーであっても良い。この場合、ロールペーパー１の側面が、側板１１又は側板１２に当接して回転摩擦が大きくなるのを防止するために、薄い円盤の規制体を軸体１７の端部に取り付けてロールペーパーを載置する構成でも良いが、ロールペーパーの口径が小さくなると副押え体２６が円盤体で規制されてロールペーパーに接触できない状態になるので、その円盤体に替えて、軸体１７の端部に紙管の口径より長い軸棒の規制体８８ａを取り付けて、ロールペーパーを載置して回転させることが望ましく、その軸棒状の規制体８８ａの本数、太さ等は適宜選択する。
【００３４】
以上のように、本願発明について種々の実施の形態について記載したが、各実施の形態における構成を適宜組み合わせてロールペーパーホルダーを構成してもよい。
また、収納箱内で、軸体が無い場合、或いは軸体を設けて、その軸体を水平又は垂直に設置して、ロールペーパーを回転可能にして、ペーパーを円滑に引き出すことができる角度と異にする角度で引っ張ることによって、ロールペーパーの口径が減少しても、ロールペーパーの垂直頂部から裏板側に配置の主押え体が、又は、排出側に配置の主押え体と副押え体が、前記ロールペーパーに対して主押え体が接触可能な位置関係となり、上方向に或いは下方向、或いは左又は右水平方向に引っ張ることによって、ロールペーパーの回転を阻止してミシン目で破断するものであり、又、ミシン目を有しないロールペーパーに対しては切削刃を備えて、ペーパーを破断するものであり、この要旨を備えるロールペーパーホルダーは本願の発明に包含される。更には、本願発明のロールペーパーホルダーは、ペーパーの他に、樹脂フィルム等にも適用できる。
【符号の説明】
【００３５】
１     ロールペーパー
１１  左側板
１２  右側板
１３  裏板
１５，２５，３５，４５  誘導溝
１６  主押え体
１７  軸体
１８  切断刃
２６  副押え体
３０  挿入溝
８８ａ、８８ｂ  規制体
【図１】
2014217734.tif 000003
【図２】
2014217734.tif 000004
【図３】
2014217734.tif 000005
【図４】
2014217734.tif 000006
【図５】
2014217734.tif 000007
【図６】
2014217734.tif 000008
【図７】
2014217734.tif 000009